(57)【要約】【課題】光センサにおいて、複数種類の光センサを併用する場合と比べて、製造コストを低減し、取付け対象の電気機器のデザイン性を損ない難くする。【解決手段】光センサ１は、分光感度が異なる受光素子２ｖ、２ｉと、受光素子２ｖ、２ｉによる検出信号をそれぞれ増幅する増幅回路３ｖ、３ｉと、増幅回路３ｖ、３ｉによりそれぞれ増幅された検出信号の和又は差を演算する演算回路４とを備える。増幅回路３ｖ、３ｉは増幅率が調整可能であり、演算回路４は演算内容が変更可能である。上記増幅率の調整と上記演算内容の変更とにより、検出対象の光の波長領域を２つの波長領域に切り替えることができる。従って、２種類の光センサを併用する場合と比べて、光センサの数を減らし、各種構成部品を共通化できる。そのため、製造コストを低減でき、また、電気機器に取り付けた状態で、占有面積が少なくて済み、電気機器のデザイン性を損ない難くすることができる。【選択図】図１
2013024755.tif 000002
【特許請求の範囲】
【請求項１】
分光感度が互いに異なる複数の受光素子と、
前記複数の受光素子による検出信号をそれぞれ増幅する複数の増幅部と、
前記複数の増幅部によりそれぞれ増幅された検出信号の和又は差を演算する演算部と、を備え、
前記増幅部は、前記検出信号に対する増幅率が調整可能であり、
前記演算部は、演算内容が変更可能であることを特徴とする光センサ。
【請求項２】
前記増幅部及び前記演算部は、それぞれ、外部からの信号入力が可能な入力端子を有し、
前記増幅部は、該増幅部の入力端子に入力される増幅率調整信号に基づいて、前記増幅率を調整し、
前記演算部は、該演算部の入力端子に入力される演算変更信号に基づいて、演算内容を変更することを特徴とする請求項１に記載の光センサ。
【請求項３】
前記増幅部の入力端子に前記増幅率調整信号を出力すると共に、前記演算部の入力端子に前記演算変更信号を出力する制御部をさらに備え、
前記制御部は、前記増幅率調整信号を用いて前記増幅部に前記増幅率を調整させると共に、前記演算変更信号を用いて前記演算部に演算内容を変更させて、前記複数の受光素子による検出対象の受光波長領域を順に切り替え、該演算部に、各受光波長領域についての検出信号をシリアル出力させることを特徴とする請求項２に記載の光センサ。
【請求項４】
前記演算部からの出力結果を基に、前記複数の受光素子による受光波長成分を解析し、該複数の受光素子に入射する光の光源の種類を判別可能な光源判別部をさらに備えることを特徴とする請求項３に記載の光センサ。
【請求項５】
入射光が遮断された暗電流検出用受光素子をさらに備え、
前記受光素子による検出信号から前記暗電流検出用受光素子による出力信号を減じることを特徴とする請求項１乃至請求項４のいずれか一項に記載の光センサ。
【請求項６】
前記暗電流検出用受光素子は、前記複数の受光素子のうちの少なくとも１つと対になるように設けられ、その対となる受光素子と同じ材料で構成されており、
前記受光素子による検出信号からは、その受光素子と対になる前記暗電流検出用受光素子による出力信号が減じられることを特徴とする請求項５に記載の光センサ。
【請求項７】
前記各素子及び前記各部は、１つのチップに設けられていることを特徴とする請求項１乃至請求項６のいずれか一項に記載の光センサ。
【発明の詳細な説明】
【技術分野】
【０００１】
本発明は、受光素子を用いて光を検出する光センサに関する。
【背景技術】
【０００２】
光センサには幾つもの種類があり、例えば、周囲照度を検出する照度センサや、光を出射して反射光を検出することにより物体の接近を検知する近接センサ、さらには、周囲光の色合いを検出するカラーセンサがある。
【０００３】
近年、電気機器の中には、そのような光センサを複数種類、搭載したものが知られている。例えば、照度センサと近接センサとを搭載した携帯電話機が知られている。この携帯電話機では、節電のため、照度センサにより検出される周囲照度に応じて表示部のバックライトの輝度が調整され、また、近接センサにより表示部への肌等の接近が検知されたときには現在の状態が電話中とみなされて、表示部のバックライトが消灯する。
【０００４】
また、照度センサとカラーセンサとを併せ持つテレビジョン受像機も知られている。このテレビジョン受像機では、照度センサにより検出される周辺照度に応じてモニタのバックライトの輝度が調整され、それにより、節電が図られる。また、カラーセンサにより周囲光の色合いが判断され、その判断結果に応じてモニタの発光色合いが調整され、それにより、視認性の向上が図られる。
【０００５】
このような電気機器については、光センサが複数種類、設けられることから、製造コストが高くなってしまうことがあった。また、複数種類の光センサのいずれについても、機器外部の光を取り込む必要があることから、それらの光センサを、露出するように機器表面に配置する必要があった。従って、機器のデザイン性を考慮すると、適当な配置箇所が共通し、その箇所に、複数種類の光センサが集中的に配置されることがあった。その箇所に、複数種類の光センサを配置するために占有できる面積を確保することが難しい場合には、妥協して、一部の光センサだけが適当な箇所に配置され、他の光センサは他の箇所に配置されることがあった。そのため、機器のデザイン性が損なわれてしまうことがあった。
【０００６】
ところで、光センサにおいて、検出したい波長領域の光に対してそれに直接対応する分光感度特性を有した受光素子がない場合であっても、光センサ全体として、検出したい波長領域の光を検出できるようにしたものが知られている。この光センサは、分光感度特性が同一又は極めて近似した２つの受光素子と、これらのうちの一方の受光素子に入射する光の波長を制限する光学フィルタとを備えたものである。上記光センサは、他方の受光素子の検出信号から、光学フィルタ付きの受光素子による検出信号を減じ、結果として、光学フィルタにより除去された波長成分を抽出する。この光センサにおいては、光学フィルタで、検出したい波長領域の光に制限することにより、その波長領域の光を直接検出可能な受光素子がなくても、その波長領域の光を検出することが可能になる。
【先行技術文献】
【特許文献】
【０００７】
【特許文献１】特開平８−３３０６２１号公報
【発明の概要】
【発明が解決しようとする課題】
【０００８】
しかしながら、特許文献１に記載の光センサにおいては、上記の問題を解決することが困難である。
【０００９】
本発明は、上記の問題を解決するためになされたものであり、複数種類の光センサを併用する場合と比べて、製造コストを低減でき、電気機器に取り付けた状態で電気機器のデザイン性を損ない難くすることができる光センサを提供することを目的とする。
【課題を解決するための手段】
【００１０】
上記目的を達成するために本発明の光センサは、分光感度が互いに異なる複数の受光素子と、前記複数の受光素子による検出信号をそれぞれ増幅する複数の増幅部と、前記複数の増幅部によりそれぞれ増幅された検出信号の和又は差を演算する演算部と、を備え、前記増幅部は、前記検出信号に対する増幅率が調整可能であり、前記演算部は、演算内容が変更可能であることを特徴とする。
【００１１】
この発明において、前記増幅部及び前記演算部は、それぞれ、外部からの信号入力が可能な入力端子を有し、前記増幅部は、該増幅部の入力端子に入力される増幅率調整信号に基づいて、前記増幅率を調整し、前記演算部は、該演算部の入力端子に入力される演算変更信号に基づいて、演算内容を変更することが望ましい。
【００１２】
この発明において、前記増幅部の入力端子に前記増幅率調整信号を出力すると共に、前記演算部の入力端子に前記演算変更信号を出力する制御部をさらに備え、前記制御部は、前記増幅率調整信号を用いて前記増幅部に前記増幅率を調整させると共に、前記演算変更信号を用いて前記演算部に演算内容を変更させて、前記複数の受光素子による検出対象の受光波長領域を順に切り替え、該演算部に、各受光波長領域についての検出信号をシリアル出力させることが望ましい。
【００１３】
この発明において、前記演算部からの出力結果を基に、前記複数の受光素子による受光波長成分を解析し、該複数の受光素子に入射する光の光源の種類を判別可能な光源判別部をさらに備えることが望ましい。
【００１４】
この発明において、入射光が遮断された暗電流検出用受光素子をさらに備え、前記受光素子による検出信号から前記暗電流検出用受光素子による出力信号を減じることが望ましい。
【００１５】
この発明において、前記暗電流検出用受光素子は、前記複数の受光素子のうちの少なくとも１つと対になるように設けられ、その対となる受光素子と同じ材料で構成されており、前記受光素子による検出信号からは、その受光素子と対になる前記暗電流検出用受光素子による出力信号が減じられることが望ましい。
【００１６】
この発明において、前記各素子及び前記各部は、１つのチップに設けられていることが望ましい。
【発明の効果】
【００１７】
本発明によれば、各増幅部における検出信号の増幅率と、演算部における検出信号の演算内容とを変更することにより、検出対象の光の波長領域を、複数の波長領域に切り替えることができる。従って、複数種類の光センサを併用する場合と比べて、光センサの数を減らし、各種構成部品を共通化することができる。そのため、製造コストを低減することができ、また、電気機器に取り付けた状態で、占有面積が少なくて済み、電気機器のデザイン性を損ない難くすることができる。
【図面の簡単な説明】
【００１８】
【図１】本発明の一実施形態に係る光センサの電気的ブロック図。
【図２】上記光センサの断面図。
【図３】（ａ）は上記光センサの照度センサモード時の様子を示す断面図、（ｂ）はその近接センサモード時の様子を示す断面図。
【図４】上記実施形態の第１の変形例に係る光センサの電気的ブロック図。
【図５】上記実施形態の第２の変形例に係る光センサの電気的ブロック図。
【図６】上記実施形態の第３の変形例に係る光センサの電気的ブロック図。
【図７】上記実施形態の第４の変形例に係る光センサの電気的ブロック図。
【発明を実施するための形態】
【００１９】
本発明の一実施形態に係る光センサについて図１乃至図３を参照して説明する。図１は、本実施形態に係る光センサの回路構成を示す。この光センサ１は、分光感度が互いに異なる受光素子２ｖ、２ｉと、受光素子２ｖ、２ｉによる検出信号をそれぞれ増幅する増幅回路３ｖ、３ｉ（増幅部）とを備える。また、光センサ１は、増幅回路３ｖ、３ｉによりそれぞれ増幅された検出信号の和又は差を演算する演算回路４（演算部）と、赤外線発光素子５とを備える。受光素子２ｖは、人の視感度特性と一致又は近似する分光感度特性を有しており、受光感度のピーク波長が可視光波長領域内にある。受光素子２ｉは、赤外線発光素子５から発せられる近赤外光の波長領域内に受光感度のピーク波長を有する。増幅回路３ｖ、３ｉは、それぞれ、受光素子２ｖ、２ｉの検出信号に対する増幅率を調整することが可能である。演算回路４は、演算内容が変更可能である。
【００２０】
光センサ１においては、増幅回路３ｖ、３ｉによる増幅率がそれぞれ調整され、演算回路４の演算内容が変更される。それらの調整及び変更により、受光素子２ｖ、２ｉによる受光波長領域、すなわち、受光素子２ｖ、２ｉにより検出される対象の光の波長領域が、可視光波長領域と、近赤外光波長領域との間で切り替えられる。この切替えにより、周囲照度のみを検出する照度センサモードと、近赤外光のみを検出する近接センサモードとが切り替わる。この近接センサモードでは、赤外線発光素子５から近赤外光が発せられ、物体で反射した近赤外光が検出され、それにより、物体の接近が検知される。
【００２１】
受光素子２ｖ、２ｉは、フォトダイオード等により構成できる。受光素子２ｖ、２ｉは、それぞれ、受光素子に含まれる不純物の濃度又はドーピングの深さ等が予め調整されることにより、分光感度特性が所望の特性に設定されている。
【００２２】
増幅回路３ｖ、３ｉと演算回路４とは、それぞれ、外部からの信号入力が可能な入力端子３１、４１を有する。入力端子３１、４１には、光センサ１の動作モードの切替え等を制御する制御回路６が接続され、その制御回路６から出力される増幅率調整信号、演算変更信号がそれぞれ入力される。増幅回路３ｖ、３ｉは、入力端子３１に入力される増幅率調整信号に基づいて、上記増幅率を調整し、演算回路４は、入力端子４１に入力される演算変更信号に基づいて、演算内容を変更する。これらの調整及び変更による動作モードの切替えは、制御回路６に接続された不図示の操作部への操作に基づいてなされる。上記演算内容には、受光素子２ｖ、２ｉによる検出信号について、それらの和を算出するか、又は一方の検出信号から他方の検出信号を減じるか、といった内容が含まれる。
【００２３】
増幅回路３ｖ、３ｉは、検出信号を増幅するオペアンプと、そのオペアンプによる増幅率を調整するマイクロプロセッサとにより構成できる。演算回路４は、マイクロプロセッサにより構成できる。赤外線発光素子５は、赤外線ＬＥＤにより構成できる。また、赤外線発光素子５は、制御回路６が接続される接続端子５１を有し、接続端子５１を介して制御回路６から入力される点灯制御信号に基づいて、点灯と消灯とを切り替える。
【００２４】
図２は、光センサ１の構成を示す。同図では、増幅回路３ｖ、３ｉの図示を省略する。受光素子２ｖ、２ｉ及び赤外線発光素子５は、互いに同一の基板７上に実装され、樹脂製の封止部材８により封止されており、１つのチップ９に設けられている。受光素子２ｉの受光面と赤外線発光素子５の発光面とは同一平面上に設けられるように、受光素子２ｉ及び赤外線発光素子５は配置されている。不図示であるが、増幅回路３ｖ、３ｉも、受光素子２ｖ、２ｉ及び赤外線発光素子５と同様に、チップ９に設けられている。
【００２５】
制御回路６により制御された光センサ１の動作について、図１に加え、図３（ａ）（ｂ）を参照して説明する。図３（ａ）（ｂ）は、それぞれ、光センサ１の照度センサモード時の様子と、近接センサモード時の様子とを示す。
【００２６】
照度センサモードでは、赤外線発光素子５は、消灯する。受光素子２ｖにおいて受光感度が閾値以上である波長領域が可視光領域を越えない場合、可視光のみを検出するには、受光素子２ｖによる検出信号だけを生かせばよい。そこで、増幅回路３ｖによる増幅率は例えば１以上の値とされ、増幅回路３ｉによる増幅率は略ゼロとされ、演算回路４は、増幅回路３ｖ、３ｉにより増幅された検出信号の和を算出する。一方、受光素子２ｖの上記波長領域が可視光領域を超えて近赤外光領域にまで広がっている場合、実質的に可視光に対してのみ受光感度を持つようにするには、受光素子２ｖによる検出信号のうち、近赤外光成分を除去して、可視光成分だけを抜き出せばよい。そこで、増幅回路３ｖによる増幅率は、例えば１以上の値にされ、増幅回路３ｉによる増幅率は、ゼロではなく増幅回路３ｖの増幅率よりも低い所定値にされる。そして、演算回路４は、増幅回路３ｖにより増幅された検出信号から、増幅回路３ｉにより増幅された検出信号を減じる。このようにして、上記２つのいずれの場合においても、周囲の可視光照度の検出のみを示す検出信号が得られる。受光素子２ｖの分光感度については予め測定されており、その測定結果に基づいて、制御回路６が上記のように光センサ１を制御する。
【００２７】
近接センサモードでは、赤外線発光素子５は、点灯する。受光素子２ｉにおいて受光感度が閾値以上である波長領域が近赤外光領域を越えない場合、近赤外光のみを検出するには、受光素子２ｉによる検出信号だけを生かせばよい。そこで、増幅回路３ｖによる増幅率は略ゼロとされ、増幅回路３ｉによる増幅率は例えば１以上の値とされ、演算回路４は、増幅回路３ｖ、３ｉにより増幅された検出信号の和を算出する。一方、受光素子２ｉの上記波長領域が近赤外光領域を超えて可視光領域にまで広がっている場合、実質的に近赤外光に対してのみ受光感度を持つようにするには、受光素子２ｉによる検出信号のうち、可視光成分を除去して、近赤外光成分だけを抜き出せばよい。そこで、増幅回路３ｖによる増幅率は、ゼロではなく増幅回路３ｉの増幅率よりも低い所定値にされ、増幅回路３ｉによる増幅率は、例えば１以上の値にされる。そして、演算回路４は、増幅回路３ｉにより増幅された検出信号から、増幅回路３ｖにより増幅された検出信号を減じる。このようにして、上記２つのいずれの場合においても、物体１０が接近したときに、赤外線発光素子５から発せられ物体１０で反射した近赤外光の検出のみを示す検出信号が得られる。受光素子２ｉの分光感度については予め測定されており、その測定結果に基づいて、制御回路６が上記のように光センサ１を制御する。
【００２８】
本実施形態においては、各増幅回路３ｖ、３ｉにおける検出信号の増幅率と、演算回路４における検出信号の演算内容とを変更することにより、検出対象の光の波長領域を、複数の波長領域に切り替えることができる。従って、複数種類の光センサを併用する場合と比べて、光センサの数を減らし、受光素子、増幅回路又はマイクロプロセッサ等の周辺回路を含む各種構成部品を共通化することができる。そのため、製造コストを低減することができ、また、取付け対象の電気機器に設けた状態で、占有面積が少なくて済み、電気機器のデザイン性を損ない難くすることができる。
【００２９】
また、制御回路６に接続された操作部を操作するだけで、増幅回路３ｖ、３ｉに増幅調整信号が入力され、かつ演算回路４に演算変更信号が入力される。そして、それらの入力により、各増幅回路３ｖ、３ｉによる増幅率が調整され、演算回路４による演算内容が変更され、検出対象の光の波長領域が切り替わる。従って、切替え作業が簡単になる。
【００３０】
また、受光素子２ｖ、２ｉは、不純物濃度等により分光感度特性が所望の特性とされているので、分光感度調整のための高価な光学フィルタを受光素子に蒸着することが不要になる。従って、部品点数を減らすことができ、また、製造過程における光学フィルタの蒸着工程をなくすことができる。そのため、製造コストの削減を図ることができる。
【００３１】
次に、上記実施形態の各変形例を図４乃至図７を参照して説明する。
（第１の変形例）
図４は、第１の変形例に係る光センサ１の回路構成を示す。本変形例の光センサ１は、上記実施形態において、受光素子２ｒ、２ｇ、２ｂと、増幅回路３ｒ、３ｇ、３ｂ（増幅部）とをさらに備え、動作モードとして、カラーセンサモードをさらに有し、制御回路６を含むものである。受光素子２ｒ、２ｇ、２ｂは、それぞれ、赤色光波長領域、緑色光波長領域、青色光波長領域内に、受光感度のピーク波長を有する。増幅回路３ｒ、３ｇ、３ｂは、それぞれ、受光素子２ｒ、２ｇ、２ｂによる検出信号を増幅するものであり、その他の構成については、増幅回路３ｖ、３ｉと同等である。制御回路６は、光センサ１に含まれていなくてもよい。本変形例の光センサ１においても、光センサ１を構成する各素子及び各回路は、１つのチップに設けられている（以下の各変形例ついても同様）。
【００３２】
制御回路６は、増幅率調整信号を用いて増幅回路３ｖ、３ｉ、３ｒ、３ｇ、３ｂ（以下、増幅回路３ｖ等と総称）に増幅率を調整させると共に、演算変更信号を用いて演算回路４に演算内容を変更させる。この演算内容には、所望の波長領域の光のみを検出するため、増幅回路３ｖ等により増幅された検出信号の和を算出するか、又はそれらの検出信号のうち、一部の検出信号からその他の検出信号を減じるか、といった内容が含まれる。
【００３３】
ここで、受光素子２ｖ、２ｉ、２ｒ、２ｇ、２ｂを、受光素子２ｖ等と総称する。制御回路６は、光センサ１の動作モードをカラーセンサモードに切り替えるとき、上記の調整及び変更により、受光素子２ｖ等による検出対象の受光波長領域を、赤色光領域、緑色光領域、青色光領域に、この順に又はその他の順に切り替える。この検出に使用される受光素子は、２ｒ、２ｇ、２ｂだけであってもよい。そして、制御回路６は、演算回路４に、各受光波長領域についての検出信号を外部へシリアル出力させる。
【００３４】
本変形例においては、光センサ１をカラーセンサとして動作させることもできる。
【００３５】
（第２の変形例）
図５は、第２の変形例に係る光センサ１の回路構成を示す。本変形例の光センサ１は、上記第１の変形例において、光源判別回路１１（光源判別部）をさらに備えるものである。光源判別回路１１は、カラーセンサモード時に演算回路４からシリアル出力される、赤色光成分、緑色光成分、青色光成分の検出結果を基に、受光素子２ｖ等による受光波長成分を解析し、受光素子２ｖ等に入射する光の光源の種類を判別可能な構成を有する。本変形例の光センサ１においては、受光素子２ｖ及び増幅回路３ｖの組み合わせと、受光素子２ｉ、増幅回路３ｉ及び赤外線発光素子５の組み合わせのいずれかだけが設けられていてもよい。
【００３６】
光源判別回路１１は、ＬＥＤ、蛍光ランプ、白熱ランプ又は太陽等の各種光源の光について、赤色光、緑色光、青色光の各成分の比率をメモリに予め記憶している。そして、光源判別回路１１は、検出された各色光成分の比率と、予め記憶している各種光源の光の各色光成分の比率とを比較し、その比率が一致又は近似する光源を、入射する光の光源として判別し、その判別結果を示す光源情報信号を外部に出力する。
【００３７】
本変形例においては、例えば、光センサ１をテレビジョン受像機に適用した場合、室内の光源の種類を光源判別回路１１により判別でき、その判別結果に基づき、テレビジョン受像機のモニタの色合いを、映像が見易くなるように調整できる。また、光センサ１を携帯電話機に適用したとき、判別した光源の種類に基づき、携帯電話機が屋内に在るか、又は屋外にあるかを判断することができ、その判断結果に応じた各種の適当な処理を実行することができる。
【００３８】
（第３の変形例）
図６は、第３の変形例に係る光センサ１の回路構成を示す。同図では、接続端子５１の図示を省略する。本変形例の光センサ１は、上記実施形態において、入射光が遮断された暗電流検出用受光素子１２と、暗電流検出用受光素子１２による出力信号を増幅する増幅回路３ｄとをさらに備えるものである。上記出力信号は、暗電流検出用受光素子１２の暗電流により生じる信号である。この光センサ１においては、受光素子２ｖ、２ｉによる検出信号から、暗電流検出用受光素子１２による出力信号が減じられ、それにより、暗電流成分が除去される。詳しく述べると、演算回路４が、増幅回路３ｖ、３ｉにより増幅された検出信号の和又は差から、増幅回路３ｄにより増幅された出力信号を減じる。
【００３９】
増幅回路３ｄは、上記出力信号に対する増幅率が、制御回路６により調整可能とされている。制御回路６における上記増幅率の決め方について説明する。ここで、増幅回路３ｖ、３ｉ、３ｄによる増幅率をそれぞれ、Ａｖ、Ａｉ、Ａｄとする。演算回路４が上記の和を算出する場合、予め測定した受光素子２ｖ、２ｉの平均暗電流が暗電流検出用受光素子１２の暗電流と等しいとき、増幅率Ａｄは、Ａｖ＋Ａｉとされる。一方、上記の平均暗電流が暗電流検出用受光素子１２の暗電流のｎ（ｎ＞０）倍であるとき、増幅率Ａｄは、ｎ×（Ａｖ＋Ａｉ）とされる。演算回路４が上記の差を算出する場合、増幅率Ａｄについて、増幅率Ａｖ、Ａｉのうち、減じる検出信号の増幅率の符号が負に反転される。
【００４０】
本変形例の暗電流検出用受光素子１２及び増幅回路３ｄは、上記第１の変形例又は上記第２の変形例に設けられていてもよい。
【００４１】
本変形例においては、検出対象の光の波長領域が可視光領域と近赤外光領域のいずれに切り替えられたとしても、受光素子２ｖ、２ｉの検出信号の中から、暗電流成分を除去することができるので、検出精度を向上することができる。しかも、受光素子２ｖ、２ｉの暗電流成分を除去するにあたって、その暗電流成分を測定するのに必要な暗電流検出用受光素子１２は、１つで済み、製造コストの低減及び小型化を図ることができる。
【００４２】
（第４の変形例）
図７は、第４の変形例に係る光センサ１の回路構成を示す。同図では、接続端子５１の図示を省略する。本変形例の光センサ１は、上記第３の変形例において、暗電流検出用受光素子１２が、受光素子２ｖ、２ｉとそれぞれ対になるように２つ設けられ、各暗電流検出用受光素子１２は、それぞれ、対となる受光素子２ｖ、２ｉと同じ材料で構成されたものである。受光素子２ｖ、２ｉのうち、一方の受光素子の暗電流が無視できる程度に少なく、他方の受光素子の暗電流が多い場合、暗電流検出用受光素子１２は、受光素子２ｖ、２ｉのうち、少なくとも、暗電流の多いもの１つと対になるように設けられていればよい。ここで、受光素子２ｖ，２ｉとそれぞれ対になる２つの暗電流検出用受光素子１２を、暗電流検出用受光素子１２ｖ、１２ｉと称する。暗電流検出用受光素子１２ｖ、１２ｉは、それぞれ、受光素子２ｖ、２ｉと同じタイプの受光素子で構成される。
【００４３】
増幅回路３ｖ、３ｉは、演算機能を有しており、増幅対象である受光素子２ｖ、２ｉによる検出信号から、それぞれ、受光素子２ｖ、２ｉの対となる暗電流検出用受光素子１２ｖ、１２ｉによる出力信号を減じ、その結果として得られる検出信号を増幅する。その増幅率は、上記実施形態と同様に、調整可能である。暗電流検出用受光素子１２ｖ、１２ｉによる出力信号は、それぞれ、暗電流用の増幅回路により適当な信号レベルに増幅されてから、増幅回路３ｖ、３ｉに入力されてもよい。
【００４４】
本変形例においては、上記第３の変形例と比べて、受光素子２ｖ、２ｉによる検出信号から、それぞれ、同じ材料で形成された暗電流検出用受光素子１２ｖ、１２ｉによる出力信号が減じられるので、受光素子毎に検出信号から暗電流成分を正確に除去できる。従って、検出精度をさらに高くすることができる。
【００４５】
なお、本発明は、上記の実施形態及び各変形例の構成に限定されるものでなく、使用目的に応じ、様々な変形が可能である。例えば、増幅回路３及び演算回路４は、それぞれ、増幅率及び演算内容を、増幅回路３及び演算回路４に設けられたスイッチ等の操作部を操作することにより、変更可能であってもよい。また、受光素子は、受光素子２ｖ等とは異なる波長領域に受光感度のピークを有するものであっても構わない。また、２ｖ等で示した受光素子自体は、それぞれが複数の受光素子により構成され、それら受光素子による検出信号を用いた演算処理によって所望の波長領域に感度を持たせたものであってもよい。
【符号の説明】
【００４６】
１  光センサ
２ｖ、２ｉ、２ｒ、２ｇ、２ｂ  受光素子
３ｖ、３ｉ、３ｒ、３ｇ、３ｂ  増幅回路（増幅部）
４  演算回路（演算部）
６  制御回路（制御部）
９  チップ
１１  光源判別回路（光源判別部）
１２、１２ｖ、１２ｉ  暗電流検出用受光素子
３１、４１  入力端子
【図１】
2013024755.tif 000003
【図２】
2013024755.tif 000004
【図３】
2013024755.tif 000005
【図４】
2013024755.tif 000006
【図５】
2013024755.tif 000007
【図６】
2013024755.tif 000008
【図７】
2013024755.tif 000009